(57)【要約】【課題】対象エリアの路側通信機によって使用される時間スロットの必要数をできるだけ少なく抑える。【解決手段】互いに重複しない複数の異なる時間スロットから一つ以上の時間スロットを、対象エリアに含まれる複数の路側通信機それぞれに割り当てる。対象エリアには、重要交差点用の路側通信機と、一般交差点用の路側通信機とが含まれている。重要交差点用の路側通信機では、複数の時間スロットを無線通信に使うことが許される。一般交差点用の路側通信機では、無線通信に使うことが許される時間スロットの数が、重要交差点用の路側通信機よりも少ない。この場合、路側通信機が行う無線通信により干渉が生じないように、重要交差点用の路側通信機に対する時間スロットの割り当てを、一般交差点用の路側通信機よりも優先して行う。【選択図】      図２
2014052733.tif 000002
【特許請求の範囲】
【請求項１】
互いに重複しない複数の異なる時間スロットから一つ以上の時間スロットを、対象エリアに含まれる複数の路側通信機それぞれに割り当てる時間スロットの割り当て方法であって、
前記対象エリアには、複数の時間スロットを無線通信に使うことが許される第一路側通信機と、無線通信に使うことが許される時間スロットの数が前記第一路側通信機よりも少ない第二路側通信機と、が含まれており、
路側通信機が行う無線通信により干渉が生じないように、前記第一路側通信機に対する時間スロットの割り当てを、前記第二路側通信機よりも優先して行うことを特徴とする時間スロットの割り当て方法。
【請求項２】
前記複数の異なる時間スロットの内の二つ以上の時間スロットを、複数の前記第一路側通信機で共用させる割り当てを行う請求項１に記載の時間スロットの割り当て方法。
【請求項３】
前記第一路側通信機は、交通量に応じて信号制御が行われる交通信号機が設置されている重要交差点に設けられる路側通信機である請求項１又は２に記載の時間スロットの割り当て方法。
【請求項４】
前記第一路側通信機は、交通事故が多発する交差点に設けられる路側通信機である請求項１〜３のいずれか一項に記載の時間スロットの割り当て方法。
【請求項５】
前記第二路側通信機が使用することを許される時間スロットの数は１つである請求項１〜４のいずれか一項に記載の時間スロットの割り当て方法。
【請求項６】
前記対象エリア内の複数の前記第一路側通信機には、相互間の無線通信で干渉が生じない配置で設けられている第一路側通信機の組みが含まれている請求項１〜５のいずれか一項に記載の時間スロットの割り当て方法。
【請求項７】
互いに重複しない複数の異なる時間スロットから一つ以上の時間スロットが、対象エリアに含まれる複数の路側通信機それぞれに割り当てられ、これら複数の路側通信機それぞれが、自機に割り当てられた少なくとも一つの時間スロットで無線通信を行う道路交通システムであって、
前記対象エリアには、複数の時間スロットを無線通信に使うことが許される第一路側通信機と、無線通信に使うことが許される時間スロットの数が前記第一路側通信機よりも少ない第二路側通信機と、が含まれており、
互いに重複しない複数の異なる時間スロットには、複数の前記第一路側通信機が共用している共用時間スロットが含まれており、
前記共用時間スロットの数は、前記第一路側通信機と前記第二路側通信機とが共用している時間スロットの数よりも多い
ことを特徴とする道路交通システム。
【発明の詳細な説明】
【技術分野】
【０００１】
本発明は、例えば、高度道路交通システム（ＩＴＳ：Intelligent Transport System）に含まれる複数の路側通信機に対して時間スロットを割り当てる方法、及び、複数の路側通信機それぞれが自機に割り当てられた時間スロットで無線通信を行う道路交通システムに関する。
【背景技術】
【０００２】
近年、交通安全の促進や交通事故の防止を目的として、道路に設置されたインフラ装置からの情報を車両が受信し、或いは車両同士で情報交換を行い、これらの情報を活用することで車両の安全性を向上させる高度道路交通システムが検討されている（例えば、特許文献１参照）。また、上記のような高度道路交通システムを想定した無線通信の仕様が策定されている（例えば、非特許文献１参照）。
また、隣接する路側通信機同士の無線通信（路路間通信）も検討されている。例えば、交差点の周辺車両の情報や交通信号機等の情報を隣接する路側通信機が路路間通信により情報交換を行うことで、高度な信号制御や広範なエリアへの情報提供が可能となる。（例えば、非特許文献２参照）。
かかる高度道路交通システムは、主として、インフラ側の無線通信装置である複数の路側通信機と、各車両に搭載される無線通信装置である複数の車載通信機とによって構成される。
【０００３】
この場合、通信主体間で行う通信の組み合わせには、路側通信機と車載通信機とが行う路車（又は車路）間通信、及び、車載通信機同士が行う車車間通信の他に、路側通信機同士が行う路路間通信が含まれる。つまり、路側通信機は、路車間通信と路路間通信とを行うことになる。
【先行技術文献】
【特許文献】
【０００４】
【特許文献１】特許第２８０６８０１号公報
【非特許文献】
【０００５】
【非特許文献１】一般社団法人電波産業会、”７００ＭＨｚ帯高度道路交通システム  ＡＲＩＢ−ＳＴＤＴ１０９  １．０版“，［online］、平成２４年２月１４日、［平成２４年７月１０日検索］、インターネット＜http://www.arib.or.jp/tyosakenkyu/kikaku_tushin/tsushin_kikaku_number.html＞
【非特許文献２】総務省、”ＶＨＦ／ＵＨＦ帯に導入を計画又は想定している具体的システムの提案募集の結果“における社団法人新交通管理システム協会の”安全・安心ＩＴＳの路側機間及び路車間通信システム”，［online］、平成１８年６月６日、［平成２４年８月２０日検索］、インターネット＜http://warp.ndl.go.jp/info:ndljp/pid/283520/www.soumu.go.jp/s-news/2006/pdf/060606_1_056.pdf＞
【発明の概要】
【発明が解決しようとする課題】
【０００６】
上記高度道路交通システムにおいては、車車間通信をはじめ、路車間通信及び路路間通信を含め、これらの各通信の共存を図るに当たって、限られた周波数帯域内で車車間、路車間及び路路間の各通信を行うために、無線リソースを時間領域で分割して路側通信機の送信専用の時間帯である時間スロットを設ける、時分割多重（ＴＤＭＡ：Time Division Multiple Access）によるマルチアクセス方式が採用されている。
【０００７】
上記ＴＤＭＡによるマルチアクセス方式において、路側通信機の送信専用の時間スロットは、通常、１つの無線フレーム内で複数設定される。つまり、１つの無線フレーム内には、異なる時間帯に設定された（つまり、互いに重複しない）複数の時間スロットが含まれている。このように、１つの無線フレーム内に複数の時間スロットを設けるとともに、これら時間スロットを各路側通信機に割り当てることで、複数の路側通信機それぞれに対して無線リソースを割り当てることができる。
【０００８】
ここで、路側通信機は、通常、道路上の交差点等に設置されるが、隣接する路側通信機同士の距離が比較的近い場合には、一方の路側通信機が情報伝達を行いたいエリア（サービスエリア）において、他方の路側通信機の送信信号が干渉源となり、前記サービスエリアに存在する車載通信機側で、前記一方の路側通信機の送信信号を精度よく取得することが困難となる。
このため、少なくとも干渉が生じる位置関係にある路側通信機の間では、１つの無線フレーム内で異なる時間帯に設定された異なる時間スロットが割り当てられる。これによって、干渉が防止される。
【０００９】
しかし、１つの無線フレームが含むことのできる時間スロットの数には限度がある。例えば、非特許文献２の場合、時間スロットの数は最大１６である。
また、スロット数は限度内であっても路側通信機が路車間通信や路路間通信のために使用する時間スロットを必要最小限とし、車載通信機の車車間通信のための時間リソースを多く確保することが望ましい。
このため、上記高度道路交通システムを実際の道路上に適用するためには、無線リソースの節約の観点から、干渉が生じる位置関係にある路側通信機同士に対しては互いに異なる時間スロットを割り当てるという制限を加えつつ、時間スロットの必要数をより少なくすることができる割り当てを行うことが求められる。つまり、効率の良い割り当てを行い、時間スロットの必要数をできるだけ少なくすることが求められる。
【００１０】
そこで、本発明は、対象エリアの路側通信機によって使用される時間スロットの必要数をできるだけ少なく抑えることを目的とする。
【課題を解決するための手段】
【００１１】
（１）本発明は、互いに重複しない複数の異なる時間スロットから一つ以上の時間スロットを、対象エリアに含まれる複数の路側通信機それぞれに割り当てる時間スロットの割り当て方法であって、前記対象エリアには、複数の時間スロットを無線通信に使うことが許される第一路側通信機と、無線通信に使うことが許される時間スロットの数が前記第一路側通信機よりも少ない第二路側通信機とが含まれており、路側通信機が行う無線通信により干渉が生じないように、前記第一路側通信機に対する時間スロットの割り当てを、前記第二路側通信機よりも優先して行うことを特徴とする。
【００１２】
本発明によれば、第一路側通信機は、複数の時間スロットを使うことが許される路側通信機であり、第二路側通信機は、無線通信に使うことが許される時間スロットの数が第一路側通信機よりも少ない路側通信機であり、前記のような第一路側通信機に対する時間スロットの割り当てを、第二路側通信機よりも優先して行うことにより、複数の第一路側通信機が複数の時間スロットを共用するような割り当てが行いやすくなり、複数の第一路側通信機に割り当てられる時間スロットの全数をできるだけ少なくすることができる。この結果、対象エリアの路側通信機によって使用される時間スロットの必要数をできるだけ少なく抑えることが可能となる。
【００１３】
（２）特に、前記複数の異なる時間スロットの内の二つ以上の時間スロットを、複数の前記第一路側通信機で共用させる割り当てを行うのが好ましく、これにより、複数の第一路側通信機に割り当てられる時間スロットの全数をできるだけ少なくすることができ、第一路側通信機に割り当てられる時間スロットの数を必要限度とすることが可能となる。
【００１４】
（３）また、交通量に応じて信号制御（例えばスプリットが決定される信号制御）が行われる交通信号機が設置されているような交通量が多く、緻密な信号制御が必要となる重要交差点では、例えば信号制御のために様々な情報が必要とされ、処理すべき情報のデータ長が大きくなる。そこで、前記第一路側通信機は、交通量に応じて信号制御が行われる交通信号機が設置されている重要交差点に設けられる路側通信機であるのが好ましい。これにより、重要交差点に設けられる第一路側通信機に対して、優先的に時間スロットが割り当てられる。
【００１５】
（４）また、交通事故が多発する交差点では、交通安全のために様々な情報が必要とされ、処理すべき情報のデータ長が大きくなる。そこで、前記第一路側通信機は、交通事故が多発する交差点に設けられる路側通信機であるのが好ましい。これにより、交通事故が多発する交差点に設けられる第一路側通信機に対して、優先的に時間スロットが割り当てられる。なお、交通事故が多発する交差点とは、例えば、一般社団法人日本損害保険協会によって提供されている「全国交通事故多発交差点マップ」＜http://www.sonpo.or.jp/protection/kousaten/kousatenmap22/＞に挙げられている交差点である。
【００１６】
（５）また、前記第二路側通信機が使用することを許される時間スロットの数は１つであるのが好ましく、この場合、２つ以上の時間スロットを使用することが許される路側通信機が、第一路側通信機となる。
【００１７】
（６）また、前記対象エリア内の複数の前記第一路側通信機には、相互間の無線通信で干渉が生じない配置で設けられている第一路側通信機の組みが含まれているのが好ましい。
この場合、相互間の無線通信で干渉が生じない配置で設けられている第一路側通信機の組みに対して、複数の時間スロットを共用させる割り当てを行うことができ、複数の第一路側通信機に割り当てられる時間スロットの全数をできるだけ少なくすることができる。
【００１８】
（７）また、本発明は、互いに重複しない複数の異なる時間スロットから一つ以上の時間スロットが、対象エリアに含まれる複数の路側通信機それぞれに割り当てられ、これら複数の路側通信機それぞれが、自機に割り当てられた少なくとも一つの時間スロットで無線通信を行う道路交通システムであって、前記対象エリアには、複数の時間スロットを無線通信に使うことが許される第一路側通信機と、無線通信に使うことが許される時間スロットの数が前記第一路側通信機よりも少ない第二路側通信機とが含まれており、互いに重複しない複数の異なる時間スロットには、複数の前記第一路側通信機が共用している共用時間スロットが含まれており、前記共用時間スロットの数は、前記第一路側通信機と前記第二路側通信機とが共用している時間スロットの数よりも多いことを特徴とする。
【００１９】
本発明によれば、互いに重複しない複数の異なる時間スロットには、複数の第一路側通信機が共用している共用時間スロットが含まれており、対象エリア内で、この共用時間スロットの数は、第一路側通信機と第二路側通信機とが共用する時間スロットの数よりも多い。このため、複数の第一路側通信機に割り当てられる時間スロットの全数をできるだけ少なくすることができ、この結果、対象エリアの路側通信機によって使用される時間スロットの必要数をできるだけ少なく抑えることが可能となる。
【発明の効果】
【００２０】
本発明によれば、複数の第一路側通信機に割り当てられる時間スロットの全数をできるだけ少なくすることができ、この結果、対象エリアの路側通信機によって使用される時間スロットの必要数をできるだけ少なく抑えることが可能となる。
【図面の簡単な説明】
【００２１】
【図１】道路交通システムの全体構成を示す概略図である。
【図２】路側通信機と車載通信機の内部構成を示すブロック図である。
【図３】路車間通信の時間スロットの一例を示す概念図である。
【図４】時間スロットの割り当て方法を示すフローチャートである。
【図５】対象エリアを設定するためのエリア内の道路形状を示した図である。
【図６】本実施形態の対象エリア内における道路及び設置位置のモデルを示す図である。
【図７】重要交差点用の路側通信機に対して、時間スロットの割り当てを行った結果を示している。
【図８】一般交差点用の路側通信機に対して、時間スロットの割り当てを行った結果を示している。
【図９】従来の割り当て方法により時間スロットの割り当てを行った場合の説明図である。
【図１０】本実施形態に係る割り当て方法と、従来の割り当て方法とを比較した表である。
【図１１】１無線フレーム内の路車間通信の時間スロットの説明図である。
【発明を実施するための形態】
【００２２】
〔１．  適用対象となるシステムの全体構成〕
図１は、道路交通システムの全体構成を示す概略図である。このシステムは、高度道路交通システム（ＩＴＳ）を構成しており、交通信号機１、路側通信機（路上通信装置）２、車載通信機３、中央装置４、車載通信機３を搭載した車両５、及び、車両感知器６ａやカメラ６ｂ等よりなる路側センサ６を含む。
【００２３】
交通信号機１と路側通信機２は、複数の交差点Ｊ１〜Ｊ１２それぞれに設置されており、電話回線等の通信回線７を介してルータ８に接続されている。このルータ８は交通管制センター内の中央装置４に接続されている。
中央装置４は、自身が管轄するエリアに含まれる各交差点の交通信号機１及び路側通信機２とＬＡＮ（Local Area Network）を構成している。したがって、中央装置４は、各交通信号機１及び各路側通信機２との間で双方向通信が可能である。なお、中央装置４は、交通管制センターではなく道路上に設置されていてもよい。
【００２４】
路側センサ６は、所定の交差点に流入する車両台数をカウントしたり、所定の交差点に接近する車両を検知したりする等の目的で、管轄エリア内の道路の各所に設置されている。本実施形態の路側センサ６には、直下を通行する車両５を超音波等により感知する車両感知器６ａ、及び、道路の交通状況を時系列に撮影するカメラ６ｂが含まれており、車両感知器６ａによる感知情報Ｓ４、カメラ６ｂによる画像データＳ５は、近くの交差点に設置されている路側通信機２に収集され、さらに、この路側通信機２から通信回線７を介して中央装置４に送信される。なお、車両感知器６ａは他の型式のものであってもよい。
【００２５】
〔２．  中央装置〕
中央装置４は、ワークステーション（ＷＳ）やパーソナルコンピュータ（ＰＣ）等よりなる制御部を有しており、この制御部は、路側通信機２、路側センサ６からの各種の情報の収集、処理（演算）、記録、信号制御及び情報提供を統括的に行う。
具体的には、中央装置４の制御部は、自身のネットワークに属する交差点の交通信号機１に対して、同一道路上の交通信号機１群を調整する系統制御や、この系統制御を道路網に拡張した広域制御（面制御）を行うことができる。
【００２６】
また、中央装置４は、通信回線７を介してＬＡＮ側と接続された通信インタフェースである通信部を有しており、この通信部は、信号灯器の灯色切り替えタイミングに関する信号制御指令Ｓ１や、渋滞情報等を含む交通情報Ｓ２を所定時間ごとに交通信号機１及び路側通信機２に送信している。さらに、中央装置４は、道路の形状や勾配等を示す道路線形情報Ｓ７を各路側通信機２に送信している。
【００２７】
また、中央装置４の通信部は、各交差点に対応する路側通信機２を通じて、その路側通信機２が車載通信機３から受信した車両５の現在位置等を含む車両情報（プローブ情報）Ｓ３、車両感知器６ａを車両が通過した時に生じるパルス信号よりなる車両感知器６ａの感知情報Ｓ４、及び、カメラ６ｂが撮影した道路のデジタル情報よりなる画像データＳ５等を受信しており、中央装置４の制御部は、これらの各種情報に基づいて前記系統制御や広域制御を実行する。
なお、本実施形態では、カメラ６ｂは、全ての交差点のために設置されておらず、後述の重要交差点（又はその近傍）に設置されている。つまり、交差点には、カメラ６ｂが設置されている交差点、カメラ６ｂは設置されていないが車両感知器６ａが設置されている交差点、車両感知器６ａ及びカメラ６ｂが共に設置されていない交差点等が存在する。
【００２８】
〔３．  無線通信の方式等〕
この道路交通システムを構成する、複数の交差点それぞれに設置された複数の路側通信機２は、その周囲を走行する車両の車載通信機３との間で無線通信（路車（車路）間通信）が可能である。また、各路側通信機２は、自己の送信波が到達する所定範囲内に位置する他の路側通信機２とも無線通信（路路間通信）が可能である。
また、同じく道路交通システムを構成する車載通信機３は、路側通信機２との間で無線通信を行うとともに、キャリアセンス方式で他の車載通信機３と無線通信（車車間通信）が可能である。
【００２９】
このように、本実施形態のＩＴＳでは、車載通信機３同士の通信（車車間通信）と、路側通信機２と車載通信機３との間の通信（「路」から「車」への路車間通信と「車」から「路」への車路間通信との双方を含む。）と、路側通信機２同士の通信（路路間通信）とが含まれており、これらの各通信に無線通信が用いられている。
【００３０】
路側通信機２には、自身が無線送信するための専用の時間スロット（図３のスロットＳＬ１）がＴＤＭＡ方式で割り当てられており、この時間スロット以外の時間帯（図３のスロットＳＬ２）では無線送信を行わない。すなわち、無線リソースが時間領域で分割されており、これによって、路側通信機２専用の時間スロットが設定される。なお、時間スロットを、単にスロットと呼ぶこともある。
【００３１】
路側通信機２専用の時間スロットＳＬ１以外の時間帯（時間スロットＳＬ２）は、車載通信機３のためのキャリアセンス方式による送信時間として開放されている。
路側通信機２及び車載通信機３は、同一周波数帯を通信に用いるが、上記のように路側通信機２と車載通信機３の送信時間帯が区別されていることで、路側通信機２による送信信号と、車載通信機３による送信信号との衝突を回避できる。
【００３２】
路側通信機２及び車載通信機３は、送信信号の受信に関しては特に制限されない。したがって、路側通信機２は、車載通信機３の送信信号を受信できる他、他の路側通信機２の送信信号も受信できる。また、車載通信機３は、路側通信機２及び他の車載通信機３の送信信号も受信できる。
【００３３】
なお、路側通信機２は、自身の送信タイミングを制御するために、他の路側通信機２との時刻同期機能を有している。この路側通信機２の時刻同期は、例えば、自身の時計をＧＰＳ時刻に合わせるＧＰＳ同期や、自身の時計を他の路側通信機２からの送信信号に合わせるエア同期等によって行われる。
【００３４】
〔４．  路側通信機〕
図２は、路側通信機２と車載通信機３の内部構成を示すブロック図である。
路側通信機２は、無線通信のためのアンテナ２０が接続された無線通信部（送受信部）２１と、中央装置４と双方向通信する有線通信部２２と、これらの通信制御を行うプロセッサ（ＣＰＵ：Central Processing Unit）等よりなる制御部２３と、制御部２３に接続されたＲＯＭやＲＡＭ等の記憶装置よりなる記憶部２４とを備えている。
【００３５】
記憶部２４は、制御部２３が実行する送信制御方法を実現するためのコンピュータプログラムや、各通信機２，３の通信機ＩＤ、後述するスロット情報Ｓ６、道路線形情報Ｓ７等を記憶している。
制御部２３は、有線通信部２２が受信した中央装置４からの交通情報Ｓ２、道路線形情報Ｓ７や自機が配置されている交差点の交通信号機１からの信号灯色に関する信号情報Ｓ８等を、いったん記憶部２４に一時的に記憶させ、無線通信部２１を介してブロードキャスト送信する機能を有している。
また、制御部２３は、無線通信部２１が受信した車両情報Ｓ３を、いったん記憶部２４に一時的に記憶させ、有線通信部２２を介して中央装置４に転送するとともに、無線通信部２１を介してブロードキャスト送信する機能も有している。
【００３６】
さらに、制御部２３は、前記の交通情報Ｓ２、道路線形情報Ｓ７や信号情報Ｓ８を送信する際に、少なくとも自機が使用する時間スロットの割当情報であるスロット情報Ｓ６を無線ヘッダ情報として付加して、ブロードキャスト送信する機能も有している。なお、スロット情報Ｓ６は、中央装置４によって、後述する時間スロットの割り当て方法に基づいて生成され、この生成されたスロット情報Ｓ６が外部へ送信される。
【００３７】
〔５．  時間スロットの内容〕
図３は、路車間通信の時間スロットの一例を示す概念図である。図３に示すように、路車間通信においては、時間軸方向に並べて配置される無線フレームが用いられている。
この無線フレームの１単位は、その時間軸方向の長さが、例えば１００ミリ秒に設定されており、路側通信機２専用の時間スロットＳＬ１と、その他の時間スロットＳＬ２とを含んで構成されている。図３では、時間スロットＳＬ１と時間スロットＳＬ２とは、１無線フレーム内に時間軸方向に交互に、それぞれ１６個配置されている。なお、この数は限定されるものではない。そして、スロット番号０〜１５は、無線フレーム毎で同じように繰り返される。
【００３８】
時間スロットＳＬ１は、路側通信機２に割り当てられる時間スロットであり、この時間帯においては、路側通信機２による無線送信が許容される。一方、時間スロットＳＬ２は、車載通信機３用の時間スロットであり、この時間帯は車載通信機３による無線送信用として開放するため、路側通信機２は時間スロットＳＬ２では無線送信を行わない。
時間スロットＳＬ１には、それぞれスロット番号ｉ（図３では、ｉ＝０〜１５）が付されている。
【００３９】
対象エリア内の複数の路側通信機２それぞれには、後に説明する割り当て方法により、１無線フレームに含まれる複数の時間スロットＳＬ１の内の少なくとも一つが割り当てられる。各路側通信機２は、スロット番号ｉによっていずれの時間スロットが自機に割り当てられるかを識別することができる。つまり、スロット情報Ｓ６には、スロット番号ｉと、そのスロット番号ｉが割り当てられている路側通信機２を特定するための特定情報とが関連付けられた関連情報が含まれている。したがって、スロット情報Ｓ６を受信した各通信機（各路側通信機２）は、この情報によって路側通信機２の時間スロットの割り当てを認識することができる。
【００４０】
また、後に説明する割り当て方法によれば、同じ時間スロットＳＬ１に、複数の路側通信機２を重複して割り当てることがある。この場合、重複して時間スロットＳＬ１が割り当てられる路側通信機２同士では、互いの情報伝達を行いたいエリア（サービスエリア）は重複せず、かつ、位置関係は、十分離れていることを要する。
路側通信機２同士のサービスエリアが重複する場合、あるいは、前記サービスエリアが重複しないが、前記路側通信機２同士の位置関係が距離的に近い場合には、互いに異なる時間スロットが割り当てられる。これは、路側通信機２各々のサービスエリアにおいて、他の路側通信機２の送信信号による干渉を防止するためである。
【００４１】
つまり、互いに干渉を生じさせるおそれのある位置関係にある路側通信機２同士は、異なる時間スロットＳＬ１が割り当てられる。図３に示すように、例えば、路側通信機２−１と２−２とが、互いに干渉を生じさせるおそれのある位置関係にある場合、路側通信機２−１には、スロット番号ｉ＝１の時間スロットＳＬ１が割り当てられ、路側通信機２−２には、スロット番号ｉ＝２の時間スロットＳＬ１が割り当てられる。
このように、異なる時間スロットＳＬ１が割り当てられているので、干渉を生じさせるおそれのある位置関係にあるとしても、干渉を防止できる。
【００４２】
以上のように、前記割り当て方法によれば、ＴＤＭＡ方式による時間軸方向に設定された複数の時間スロットＳＬ１それぞれが、路側通信機２に割り当てられる。
【００４３】
〔６．  車載通信機〕
図２において、車載通信機３は、無線通信のためのアンテナ３０に接続された通信部（送受信部）３１と、この通信部３１に対する通信制御を行うプロセッサ等よりなる制御部３２と、この制御部３２に接続されたＲＯＭやＲＡＭ等の記憶装置よりなる記憶部３３とを備えている。
記憶部３３は、制御部３２が実行する通信制御のためのコンピュータプログラムや、各通信機２，３の通信機ＩＤ等を記憶している。
【００４４】
制御部３２は、車車間通信のためのキャリアセンス方式による無線通信を通信部３１に行わせるものである。したがって、車載通信機３の通信部３１は、所定の搬送波周波数の受信レベルを常時感知しており、その値がある閾値以上である場合は無線送信を行わず、当該閾値未満になった場合にのみ無線送信を行うようになっている。
【００４５】
また、車載通信機３は、路側通信機２からスロット情報Ｓ６を受信すると、スロット情報Ｓ６に記された路側通信機２専用の時間スロット（図３の時間スロットＳＬ１）以外の時間帯（図３の時間スロットＳＬ２）を利用して、キャリアセンス方式による無線送信を行う。
また、制御部３２は、車両５（車載通信機３）の現時の位置、方向及び速度等を含む車両情報（プローブ情報）Ｓ３を、通信部３１を介して外部にブロードキャスト送信する。
さらに、制御部３２は、路側通信機２から送信される、交通情報Ｓ２、道路線形情報Ｓ７、及び信号情報Ｓ８を受信するとともに、他の車両５（車載通信機３）から送信される車両情報Ｓ３を受信し、これら各情報に基づいて、右直衝突や出合い頭衝突等を回避する安全運転支援制御を行う機能を有している。
【００４６】
〔７．  時間スロットの割り当てについて〕
前記のとおり、後に説明する割り当て方法では、隣接する路側通信機２間に十分な距離があることで互いのサービスエリアが重複しない場合、互いに干渉を与えることはないので、このような関係の路側通信機２間では、時間スロットＳＬ１の割り当てに特別な制限はない。しかし、隣接する路側通信機２間のサービスエリアが互いに重複する場合、あるいは、前記サービスエリアは重複しないが、前記路側通信機２同士の位置関係が距離的に近い場合、両路側通信機２それぞれに同一（同じスロット番号）の時間スロットＳＬ１が割り当てられると、サービスエリアの重複する部分で干渉が生じるので、このような位置関係にある路側通信機２間では、異なる（異なるスロット番号の）時間スロットＳＬ１を割り当てる。
【００４７】
ここで、図３に示すように、１つの無線フレーム内に設定することができる時間スロットＳＬ１の数には限度がある。このため、上記システムを実際の道路上に適用する際には、上述したように、干渉が生じる位置関係にある路側通信機２同士に対しては互いに異なる時間スロットを割り当てるという制限を加えつつ、対象エリア内の各路側通信機２に割り当てる時間スロットの必要数をより少なくすることができる割り当てを行うのが望ましい。つまり、時間スロットの必要数をできるだけ少なくするのが望ましく、これを実現するために、以下の割り当て方法が行われる。
【００４８】
〔７．１  割り当て方法〕
以下、本発明の割り当て方法の一実施形態を説明する。上記システムを所定のエリアに適用する際に、このシステムの対象エリアに含まれる複数の路側通信機２それぞれに対して、１つの無線フレーム中に存在する互いに重複しない複数の異なる時間スロットＳＬ１から一つ以上の時間スロットが割り当てられる。図４は、この割り当て方法を示すフローチャートである。なお、このフローチャートに示す割り当て方法は、以下に説明する時間スロットの割り当てを行うためのコンピュータプログラムが記憶されているコンピュータによって実行される。このコンピュータは、例えば中央装置４のコンピュータとすることができる。
【００４９】
〔７．１．１  設置候補点の設定、及び対象エリアの決定〕
本方法では、まず、上記システムを適用するエリアの道路形状を特定し、路側通信機２を設置するための設置候補点を設定する（図４のステップＳＴ１）。
図５は、対象エリアを設定するためのエリア内の道路形状を示した図である。なお、図５において、紙面上方向を北方向としており、また、道路Ｅの一部を省略して記載している。例えば、図５に示すエリアＭ内に設けられている道路Ｅの形状から、路側通信機２の設置位置Ｖ（設置候補点）を設定する。設置位置Ｖは、基本的に交差点に設定されるが、その他として、交差点ではないが、信号等が設けられている地点等にも設定される場合がある。
【００５０】
次に、このエリアＭ内から、時間スロットの割り当ての対象とする対象エリアＰを決定する（図４のステップＳＴ２）。本実施形態では、図５に示す交差点が比較的密に存在するエリアＭ全体を、対象エリアＰとした場合について述べる。
対象エリアＰ内では、図５中の一点鎖線に示すように、道路形状を、ほぼ格子状に近似することができ、設置位置Ｖを、格子状である道路の交点（交差点）としている。
【００５１】
図５中、縦方向の一点鎖線と横方向の一点鎖線とが交差しているにも関わらず設置位置Ｖとして設定されていない地点ＶＳが存在するが、この地点ＶＳは、他の設置位置Ｖから推定することができる推定設置位置と言え、これについても設置位置Ｖとして取り扱う。
推定設置位置としての地点ＶＳは、道路Ｅの対応する箇所にたまたま交差点や信号機が設置されていない場合等が考えられ、将来的に道路が設置されて交差点となったり、信号機が設置されたりする可能性がある。
これにより、現状、路側通信機２が設置される可能性は低いが、将来設置される可能性のある位置についても、時間スロットの割当について考慮することができる。
【００５２】
図６は、前記対象エリアＰ内における道路Ｅ及び設置位置Ｖのモデルを示す図である。対象エリアＰ内の道路Ｅ及び設置位置Ｖは、格子状に近似される。
【００５３】
〔７．１．２  道路Ｅ、設置候補点Ｖである交差点について〕
ここで、設置位置Ｖである交差点について説明する。本実施形態の設置位置Ｖである交差点には、下記に定義する「重要交差点」と、下記に定義する「一般交差点」とが存在する。
・重要交差点：次の（Ａ）と（Ｂ）とのうちの一方又は双方に該当する交差点である。
（Ａ）交通事故が多発する交差点。
（Ｂ）車両の交通量が多くボトルネックになることが多い交差点。
・一般交差点：次の（Ｃ）と（Ｄ）とのうちの一方又は双方に該当する交差点である。
（Ｃ）交通事故の発生が重要交差点よりも少ない交差点。
（Ｄ）重要交差点に比べて従道路の交通量が少ない交差点。
【００５４】
なお、前記（Ａ）に関して、交通事故が多発する交差点とは、例えば、一般社団法人日本損害保険協会によって提供されている「全国交通事故多発交差点マップ」＜http://www.sonpo.or.jp/protection/kousaten/kousatenmap22/＞に挙げられている交差点である。
また、前記（Ｂ）に関して、一般に、幹線・準幹線道路相互の交差点が重要交差点に該当する。重要交差点は、都市部では４〜５交差点に一つの間隔で存在している。そして、一般交差点は、重要交差点の周囲の（隣りの）交差点である。
【００５５】
また、重要交差点は、車線数が多い幹線・準幹線道路相互の交差点であり、本実施形態では、この重要交差点に繋がる道路が有する複数の車線毎に車両感知器６ａが設置されており、これら車両感知器６ａそれぞれが取得した感知情報Ｓ４を、重要交差点に設置されている路側通信機２が収集する。
また、この重要交差点では、例えば右直事故防止のため、その重要交差点の上流側の道路を撮像領域とするカメラ６ｂが設置されており、このカメラ６ｂが取得した画像データを、重要交差点に設置されている路側通信機２が収集する。しかも、重要交差点では、このようなカメラ６ｂが複数台設置されている場合がある。
【００５６】
これに対して、本実施形態の一般交差点は、重要交差点を構成する道路よりも車線数の少ない道路が交差している交差点である。また、一般交差点の場合、車両感知器６ａが設置されている場合と、設置されていない場合とがある。さらに、本実施形態では、一般交差点には、カメラ６ｂは設置されていない。
【００５７】
〔７．１．３  割り当てられる時間スロットの数について〕
したがって、重要交差点に設置される路側通信機２（以下、この路側通信機２の符号を２Ａとすることもある）には、数多くの情報が収集され、データ量の大きな情報（ダウンリンクデータ）を扱う必要があり、この路側通信機２Ａは、自機に割り当てられた時間スロットＳＬ１で送信する（ダウンリンク送信する）。
そして、このような路側通信機２Ａには、１つの無線フレーム中で、時間スロットＳＬ１が複数割り当てられる。本実施形態では、路側通信機２Ａそれぞれには、１つの無線フレーム中で、２つの時間スロットＳＬ１が割り当てられる。例えば、ある路側通信機２Ａ（図７の左上に存在する路側通信機２Ａ−１）には、図１１の１無線フレーム内の時間スロットＳＬ１の説明図に示すように、フレーム番号ｉ＝２とｉ＝１３との時間スロットＳＬ１が割り当てられる。なお、図１１では、各時間スロットＳＬ１の下に、その時間スロットＳＬ１が割り当てられている路側通信機を示している。
これにより、この路側通信機２Ａ−１は、１つの無線フレームにおいて、２つの時間スロットＳＬ１に収まるデータ量の情報を送信することが可能となり、このような情報を、１つの無線フレームにおいて、フレーム番号ｉ＝２の時間スロットＳＬ１と、フレーム番号ｉ＝１３の時間スロットＳＬ１とに分けて送信する。
【００５８】
これに対して、一般交差点に設置される路側通信機２（以下、この路側通信機２の符号を２Ｂとすることもある）には、さほど多くの情報が収集されず、この路側通信機２Ｂは、重要交差点よりも小さなデータ量の情報（ダウンリンクデータ）を、自機に割り当てられた時間スロットＳＬ１で送信する（ダウンリンク送信する）。
【００５９】
本実施形態では、路側通信機２Ｂそれぞれには、１つの無線フレーム中で、１つのみの時間スロットＳＬ１が割り当てられる。つまり、１つの無線フレーム中で、一般交差点用の路側通信機２Ｂが使用することを許される時間スロットの数は１つである。例えば、ある１つの路側通信機２Ｂ−１（図８の左上参照）には、図１１において、フレーム番号ｉ＝４の時間スロットＳＬ１が割り当てられる。
これにより、この路側通信機２Ｂ−１は、１つの無線フレーム中で、この１つの時間スロットＳＬ１に収まるデータ量の情報を、フレーム番号ｉ＝４の時間スロットＳＬ１で送信することが可能となる。
【００６０】
以上のように、重要交差点に設置される路側通信機２Ａと、一般交差点に設置される路側通信機２Ｂとで、扱うデータ量が異なり、送信する情報のデータ長が異なる。そして、対象エリアＰには、無線通信に使うことが許される時間スロットＳＬ１の数が異なる複数の路側通信機が含まれている。すなわち、対象エリアＰには、重要交差点用の複数の路側通信機（第一路側通信機）２Ａと、一般交差点用の複数の路側通信機（第二路側通信機）２が含まれており、各路側通信機２Ａには、複数の（図１１では２つの）時間スロットＳＬ１を無線通信に使うことが許されており、各路側通信機２Ｂには、重要交差点用の路側通信機２Ａよりも少ない数（図１１では１つ）の時間スロットを、無線通信に使うことが許されている。
【００６１】
なお、重要交差点を、その交差点に設置されている交通信号機１による信号制御の観点から定義すると、例えば、信号制御パラメータの一つであるスプリットが決定される信号制御が行われる交通信号機１が設置されている交差点を、重要交差点と定義することもできる。
そして、一般交差点を、その交差点に設置されている交通信号機１による信号制御の観点から定義すると、例えば、重要交差点に設置されている交通信号機１に従属して信号制御が行われる（スプリットが計算される）交差点である。
また、一般交差点は、例えば単に横断歩行者の青信号の時間を確保すればよいような交差点と定義することもできる。
【００６２】
〔７．１．４  時間スロットの割り当ての順番〕
図４に示す割り当て方法の説明に戻る。
前記のとおり、対象エリアＰには、複数の路側通信機２（２Ａ，２Ｂ）が設置されており、これら路側通信機２（２Ａ，２Ｂ）それぞれに対して時間スロットの割り当てを行うが、本発明の割り当て方法では、その割り当てを行う際に、どの路側通信機２を先に割り当てるかについての優先順位が設定されている。
つまり、重要交差点用の路側通信機２Ａそれぞれに対して、先に、時間スロットの割り当てを行い（図４のＳＴ３）、その後、一般交差点用の路側通信機２Ｂそれぞれに対して、時間スロットの割り当てを行う（図４のＳＴ４）。
【００６３】
具体的に説明すると、重要交差点用の路側通信機２Ａ間で干渉関係を計算し、路側通信機２Ａのみに関して互いに干渉しないようにして時間スロットの割り当てを行う（図４のＳＴ３）。その後、重要交差点用の路側通信機２Ａで使用される時間スロットに干渉を与えないように、かつ、一般交差点用の路側通信機２Ｂ間で干渉関係を計算し、互いに干渉しないようにして時間スロットの割り当てを行う（図４のＳＴ４）。なお、図４のＳＴ３及びＳＴ４における干渉関係の計算及び時間スロットの割り当て処理についての具体的な方法は、様々な方法を採用することができる。
【００６４】
図７は、重要交差点用の路側通信機２Ａに対して、時間スロットの割り当て（図４のＳＴ３）を行った結果を示している。本実施形態では、重要交差点はＪ１〜Ｊ９であり、これら重要交差点Ｊ１〜Ｊ９それぞれに路側通信機２Ａ−１〜２Ａ−９が設置されている。
そして、図７において、重要交差点Ｊ１〜Ｊ９それぞれの丸内の数字は、各重要交差点に設置されている路側通信機２Ａ−１〜２Ａ−９それぞれに対して割り当てられている時間スロットＳＬ１のスロット番号ｉを示している。本実施形態では、路側通信機２Ａ−１〜２Ａ−９に対して、１無線フレーム毎に、スロット番号ｉ＝０〜２，１１〜１３のうち２つの時間スロットＳＬ１が割り当てられている。
【００６５】
なお、この割り当ては、路側通信機２Ａが行う無線通信により干渉が生じないようにして行われる。つまり、南北方向、又は、東西方向で隣り合う、重要交差点用の路側通信機２Ａに対しては、異なる時間スロットが割り当てられている。これは、前記一組の路側通信機２Ａ，２Ａが、干渉を生じさせるおそれのある位置関係にあるとしても、干渉が生じるのを防止するためである。
【００６６】
ここで、図７に示すように、対象エリアＰ内には、複数の重要交差点用の路側通信機２Ａ−１〜２Ａ−９が存在しているが、これら路側通信機２Ａ−１〜２Ａ−９には、干渉を生じさせるおそれのある位置関係になく、相互間の無線通信で干渉が生じない配置で設けられている路側通信機２Ａの組みが含まれている。つまり、図７の場合、例えば、路側通信機２Ａ−１と、路側通信機２Ａ−５と、路側通信機２Ａ−９とは、干渉を生じさせるおそれのある位置関係になく、相互間の無線通信で干渉が生じない配置で設けられている。
【００６７】
そこで、これら路側通信機２Ａ−１と、路側通信機２Ａ−５と、路側通信機２Ａ−９との組みに対して、同じ時間スロットのペア（スロット番号ｉ＝２，１３）の割り当てがされる。この他に、３つの路側通信機２Ａ−２，２Ａ−６，２Ａ−７に対して、スロット番号ｉ＝０，１１の時間スロットが割り当てられ、３つの路側通信機２Ａ−３，２Ａ−４，２Ａ−８に対して、スロット番号ｉ＝１，１２の時間スロットが割り当てられている。
なお、本実施形態では、図７のように、ｉ＝０〜１５の時間スロットのうち、二つの時間スロットからなる時間スロットのペアを、３ペア分使用して（スロット番号ｉが、０と１１，１と１２，２と１３のペア）、複数の路側通信機２Ａで共用させる割り当てを行ったが、ｉ＝０〜１５の複数の時間スロットの内の二つ以上の時間スロットからなる時間スロットの組みを、複数の路側通信機２Ａで共用させる割り当てが行われればよい。
【００６８】
そして、このように重要交差点用の路側通信機２Ａに対して時間スロットの割り当てを行ってから、一般交差点用の路側通信機２Ｂそれぞれに対して時間スロットの割り当て（図４のＳｔ４）を行う。この割り当ての結果を図８に示している。
なお、対象エリアＰには、多くの一般交差点が含まれるが、本実施形態では、路側通信機２Ｂが設けられる一般交差点は、重要交差点の東西南北一つ隣りの交差点である。路側通信機２Ｂが設置される一般交差点は、Ｊ１１〜Ｊ４６であり、これら一般交差点Ｊ１１〜Ｊ４６それぞれに一般交差点用の路側通信機２Ｂ−１〜２Ｂ−３６が設置される。
そして、図８において、一般交差点Ｊ１１〜Ｊ４６ぞれぞれの丸内の数字は、一般交差点用の路側通信機２Ｂ−１〜２Ｂ−３６それぞれに対して割り当てられているスロット番号ｉを示している。一般交差点用の路側通信機２Ｂ−１〜２Ｂ−３６それぞれに対して、スロット番号３〜１０の時間スロットが割り当てられている。
【００６９】
なお、この割り当ては、路側通信機２Ａ及び路側通信機２Ｂが行う無線通信により干渉が生じないようにして行われる。つまり、南北方向、又は、東西方向で隣り合う、路側通信機２Ａ，２Ｂに対しては、異なる時間スロットが割り当てられている。これは、隣り合う一組の路側通信機２Ａ，２Ｂが、干渉を生じさせるおそれのある位置関係にあっても、干渉を防止するためである。
【００７０】
そして、本実施形態では、重要交差点用の路側通信機２Ａに対して割り当てていない時間スロットを、一般交差点用の路側通信機２Ｂに対して割り当てている。
また、一つの時間スロットを、複数の一般交差点用の路側通信機２Ｂで共用させる割り当てが行われている。すなわち、例えば、一般交差点Ｊ１４，Ｊ１９，Ｊ２７，Ｊ３４，Ｊ３５，Ｊ４２それぞれに設置されている路側通信機２Ｂ−４，２Ｂ−９，２Ｂ−１７，２Ｂ−２４，２Ｂ−２５，２Ｂ−３２に対して、スロット番号ｉ＝３の時間スロットが割り当てられている（図８、図１１参照）。
【００７１】
〔７．２  本実施形態に係る割り当て方法と、従来の割り当て方法との比較〕
前記実施形態のような、重要交差点用の路側通信機２Ａに対する時間スロットの割り当てを、一般交差点用の路側通信機２Ｂよりも優先して先に行うのではなく、重要交差点用と一般交差点用とを区別しないで、単に、路側通信機２Ａ，２Ｂが行う無線通信により干渉が生じないという制限に基づいて、時間スロットの割り当てを行った場合（従来の割り当て方法）の例について説明する。なお、対象エリアＰの構成（重要交差点の配置等）については、図７と同じである。
【００７２】
図９は、このような従来の割り当て方法により時間スロットの割り当てを行った場合の説明図である。この図９は、本実施形態により割り当てられた場合の説明図である図８に相当する図である。図９の各交差点の丸内の数字は、各交差点に設置されている路側通信機２Ａ，２Ｂに対して割り当てられたスロット番号ｉを示している。
【００７３】
図９に示すように、重要交差点Ｊ１〜Ｊ９に設置されている路側通信機２Ａ−１〜２Ａ−９には、スロット番号ｉ＝０〜６，１１〜１７の時間スロットが割り当てられている。そして、一般交差点に設置されている路側通信機には、スロット番号ｉ＝０〜１０の時間スロットが割り当てられている。
【００７４】
図１０は、本実施形態に係る割り当て方法と、従来の割り当て方法とを比較した表である。本実施形態に係る方法と、従来の方法とに関して、対象エリアＰに割り当てられている時間スロットのペアの数は、ともに「１１」であり、同じである。
しかし、本実施形態に係る方法の場合、重要交差点の路側通信機２Ａに割り当てられている時間スロットのペアは、スロット番号ｉ＝（０，１１），（１，１２），（２，１３）であり、その数は「３」であるのに対して、従来の方法の場合、スロット番号ｉ＝（０，１１），（１，１２），（２，１３），（３，１４），（４，１５），（５，１６），（６，１７）であり、その数は「７」である。
【００７５】
すると、既に説明したように（図１１参照）、重要交差点用の路側通信機２Ａ（２Ａ−１〜２Ａ−９）それぞれには２つの時間スロットが割り当てられ、一般交差点用の路側通信機２Ｂ（２Ｂ−１〜２Ｂ−３６）それぞれには１つの時間スロットが割り当てられることから、以下の計算のとおり、対象エリアＰ全体で必要となる時間スロットの数は、本発明に係る方法の場合「１４」であるのに対し、従来の方法の場合「１８」となる。
すなわち、本実施形態の方法の場合の対象エリアＰ全体で必要となる時間スロットの数は、「３」×２（スロット）＋（「１１」−「３」）×１（スロット）＝「１４」となるが、従来の方法の場合の対象エリアＰ全体で必要となる時間スロットの数は、「７」×２（スロット）＋（「１１」−「７」）×１（スロット）＝「１８」
となる。
【００７６】
このように、本実施形態に係る割り当て方法の場合、対象エリアＰ全体の時間スロットの数は「１４」で済むのに対して、従来の割り当て方法の場合、対象エリアＰ全体の時間スロットの数は「１８」となり、本実施形態に係る割り当て方法によれば、必要となる時間スロットの数を少なくすることができる。
なお、前記従来の方法の場合、１無線フレーム中で必要となる時間スロットの数が「１８」となるが、これは、図３に示したように、１無線フレーム中の時間スロットの数「１６」を超えてしまう。これに対して、本実施形態の方法の場合、１無線フレーム中の時間スロットの数「１６」よりも少なくすることができ、時間スロットに余裕を生じさせることができる。
【００７７】
以上のように、本実施形態に係る割り当て方法は、重要交差点用の路側通信機２Ａ（第一路側通信機）に対する時間スロットの割り当てを、一般交差点用の路側通信機２Ｂ（第二路側通信機）よりも優先して行い、これら割り当て処理それぞれでは、路側通信機が行う無線通信により干渉が生じないようにしている。
【００７８】
また、本実施形態に係る割り当て方法は、各交差点において路側通信機２が処理すべき情報（送信すべき情報）のデータ量の違いを考慮した時間スロットの割り当て方法であり、データ量が比較的多い重要交差点用の路側通信機２Ａに対する時間スロットの割り当てを、データ量が比較的少ない一般交差点用の路側通信機２Ｂよりも優先して行う。特に、本実施形態では、スロット番号ｉ＝（０，１１），（１，１２），（２，１３）の時間スロットのペアを複数の重要交差点用の路側通信機２Ａで共用させる割り当てを行う。
【００７９】
これにより、図７に示すように、複数の重要交差点用の路側通信機２Ａが、同じ時間スロットを共用する割り当てが行いやすくなり、複数の重要交差点用の路側通信機２Ａに割り当てられる時間スロットの全数をできるだけ少なくすることができる。図７の場合、複数の重要交差点用の路側通信機２Ａに割り当てられる時間スロットは、スロット番号ｉ＝（０，１１），（１，１２），（２，１３）の３ペア（時間スロットの数は「６」）となり、対象エリアＰ全体の時間スロットの割り当て数は「１４」で済む。このように、対象エリアＰの路側通信機２によって使用される時間スロットの必要数をできるだけ少なく抑えることが可能となる。
【００８０】
また、本実施形態において、交通量に応じて信号制御（例えばスプリットが決定される信号制御）が行われる交通信号機１が設置されている重要交差点では、例えば信号制御のために様々な情報が必要とされ、このような多くの情報を路側通信機２が周囲に無線送信するためには、データ長が大きくなる。そこで、このような交通量に応じて信号制御が行われる（スプリットが決定される）交通信号機１が設置されている重要交差点に設けられる路側通信機２Ａに対して、複数の時間スロットが割り当てられ、このような路側通信機２Ａに対して、優先的に時間スロットが割り当てられる。
【００８１】
また、交通事故が多発する交差点では、交通安全のために様々な情報が必要とされる。例えば、右直事故を防止するために交差点手前にカメラ６ｂが設置されており、しかも、各車線にカメラ６ｂが設置されているような場合、この交差点に設置される路側通信機には、多くの画像データＳ５が収集され、この画像データＳ５の情報を周囲に無線送信する必要がある。つまり、このような多くの情報を路側通信機２が周囲に無線送信するためには、その路側通信機２が送信すべき情報のデータ長が大きくなる。
そこで、このような交通事故が多発する交差点は重要交差点に設けられる路側通信機２Ａに対して、複数の時間スロットが割り当てられ、このような路側通信機２Ａに対して、優先的に時間スロットが割り当てられる。なお、交通事故が多発する交差点とは、例えば、一般社団法人日本損害保険協会によって提供されている「全国交通事故多発交差点マップ」＜http://www.sonpo.or.jp/protection/kousaten/kousatenmap22/＞に挙げられている交差点である。
【００８２】
〔８．  道路交通システム〕
以上のような割り当て方法によって、互いに重複しない複数の異なる時間スロットＳＬ１から一つ以上の時間スロットが、対象エリアＰに含まれる複数の路側通信機２（２Ａ，２Ｂ）それぞれに割り当てられることにより、これら路側通信機２（２Ａ，２Ｂ）それぞれは、自機に割り当てられた少なくとも一つの時間スロットＳＬ１で無線通信を行う道路交通システムが構成される。
【００８３】
そして、この道路交通システムの各対象エリアＰには、無線通信に使うことが許される時間スロットの数が異なる複数の路側通信機２（２Ａ，２Ｂ）が含まれている。つまり、対象エリアＰには、重要交差点用の路側通信機２Ａと、一般交差点用の路側通信機２Ｂとが含まれている。そして、重要交差点用の路側通信機２Ａ（２Ａ−１〜２Ａ−９）それぞれは、図１１に示すように、１つの無線フレーム内において、２つの時間スロットＳＬ１を無線通信に使うことが許されている。例えば、路側通信機２Ａ−１は、スロット番号ｉ＝２の時間スロットＳＬ１と、スロット番号ｉ＝１３の時間スロットＳＬ１とを無線通信に使いことが許されている。
これに対して、一般交差点用の路側通信機２Ｂ（２Ｂ−１〜２Ｂ−３６）それぞれは、無線通信に使うことが許される時間スロットの数が、重要交差点用の路側通信機２Ａそれぞれが使うことの許容される時間スロットの数よりも少なく、その数は１つである。
【００８４】
そして、１無線フレーム中に存在する互いに重複しない複数の異なる時間スロットＳＬ１には、複数の重要交差点用の路側通信機２Ａが共用している共用時間スロットが含まれており、図１１の場合、共用時間スロットのスロット番号は、ｉ＝０，１，２，１１，１２，１３である。つまり、共用時間スロットの数Ｎａは「６」である（Ｎａ＝６）。
【００８５】
ここで、時間スロットの割り当てによっては、重要交差点用の路側通信機２Ａと、一般交差点用の路側通信機２Ｂとが共用している時間スロットが含まれていることもあるが、図１１に示す実施形態の場合、このような重要交差点用の路側通信機２Ａと一般交差点用の路側通信機２Ｂとが共用している時間スロットの数Ｎｂはゼロである（Ｎｂ＝０）。
【００８６】
以上より、前記実施形態の割り当て方法によって構成された道路交通システムでは、対象エリアＰ内で、複数の重要交差点用の路側通信機２Ａが共用している共用時間スロットの数（Ｎａ＝６）は、重要交差点用の路側通信機２Ａと一般交差点用の路側通信機２Ｂとが共用する時間スロットの数（Ｎｂ＝０）よりも多い。
このため、複数の重要交差点用の路側通信機２Ａに割り当てられる時間スロットの全数は、共用時間スロットの数Ｎａと同数の「６」であり、この数をできるだけ少なくすることができる。そして、この共用時間スロット以外の時間スロットＳＬ１を、一般交差点用の路側通信機２Ｂに割り当てることが可能となる。
また、図１０で説明したように、このように時間スロットＳＬ１が割り当てられた道路交通システムによれば、対象エリアＰの路側通信機によって使用される時間スロットＳＬ１の必要数をできるだけ少なく抑えることが可能となる。図１０の場合、「１４」の時間スロットＳＬ１で済む。
【００８７】
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
前記実施形態では、需要交差点用の路側通信機２Ａに対して、２つの時間スロットを割り当てる場合について説明したが、その数は２つに限らず、３つ又は４つ以上であってもよく、また、路側通信機２Ａによってその数が異なっていてもよい。そして、路側通信機２Ａによって時間スロットの割り当て数が異なる場合、その数が大きい路側通信機２Ａを先に優先して、時間スロットの割り当てが行われるのが好ましい。
【００８８】
また、前記実施形態では、重要交差点のためにカメラ６ｂが設置され、この画像データＳ５を需要交差点用の路側通信機２Ａが処理し、送信する必要があるため、路側通信機２Ａではデータ量が多くなる場合を説明したが、需要交差点用の路側通信機２Ａは、この他に、環境系の情報として、エコドライブのための情報、安全系の情報として、信号見落とし防止のための情報や、右直事故防止用の情報や、歩行者見落とし防止用の情報が処理され送信される。
これに対して、一般交差点用の路側通信機２Ｂでは、環境系の情報として、エコドライブのための情報や、グリーンウェーブ支援のための情報が処理され送信されてもよく、安全系として、信号見落とし防止のための情報が処理され送信されてもよい。
【符号の説明】
【００８９】
２：路側通信機    ２Ａ：重要交差点用の路側通信機（第一路側通信機）    ２Ｂ：一般交差点用の路側通信機（第二路側通信機）    ＳＬ１：時間スロット    Ｐ：対象エリア
【図１】
2014052733.tif 000003
【図２】
2014052733.tif 000004
【図３】
2014052733.tif 000005
【図４】
2014052733.tif 000006
【図５】
2014052733.tif 000007
【図６】
2014052733.tif 000008
【図７】
2014052733.tif 000009
【図８】
2014052733.tif 000010
【図９】
2014052733.tif 000011
【図１０】
2014052733.tif 000012
【図１１】
2014052733.tif 000013